(57)【要約】【課題】  被印刷体上の印刷部分の中心が、スクリーンマスクに引き剥がされることなく残るようにする。【解決手段】  スクリーンマスク１に被印刷体２を接触させた状態においてスキージの操作により印刷を行う。被印刷体２を、所定の時間内において所定の距離分降下させる。また降下と同時に前記の時間よりも短い時間内で前記距離よりも少ない距離分上昇させる。これを所要回数繰り返した後、所定の速度で降下させ、最終的にスクリーンマスク１から分離させる。【選択図】図２ 
2005035168.tif 000002
【特許請求の範囲】
【請求項１】
スクリーンマスクに被印刷体を接触させた状態においてスキージの操作により印刷を行うスクリーン印刷法において、被印刷体を、所定の時間内において所定の距離分降下させると共に、降下と同時に前記の時間よりも短い時間内で前記距離よりも少ない距離分上昇させ、これを所要回数繰り返した後、所定の速度で降下させ、最終的にスクリーンマスクから分離させるようになしたことを特徴とする被印刷体のスクリーンマスクからの分離制御方法。
【発明の詳細な説明】
【技術分野】
【０００１】
本発明は被印刷体のスクリーンマスクからの分離制御方法に関するものである。
【背景技術】
【０００２】
スクリーン印刷法においては、従来図３（Ｂ）に示す如きクリアランス印刷法が採用されていた。それは、被印刷体１００を下げてこれとスクリーンマスク１０１との間に適宜の間隔をあけ、この状態においてスキージ１０２を操作させて印刷を行うものである。
【０００３】
斯かる印刷法は、被印刷体１００とスクリーンマスク１０１とが点で接触し、スキージ１０２が通過した時点において直ちに被印刷体１００とスクリーンマスク１０１の印刷部分が離れるものである。
【０００４】
しかし、斯かる印刷法には、被印刷体１００とスクリーンマスク１０１との間隔の調整が難しく、印刷の誤差が生じ易いという問題点がある。
【０００５】
その後この問題点を解消するために、図３（Ａ）に示す如きコンタクト印刷法が採用されるようになった。該印刷法は、スクリーンマスク１０１を被印刷体１００に接触させた状態においてスキージ１０２の操作により印刷を行うものである。
【０００６】
しかし、斯かる印刷法による場合においては、印刷後に被印刷体をスクリーンマスクから離すときに、被印刷体上の印刷部分の中心がスクリーンマスク側に引き剥がされて欠けてしまうという問題点がある。
【０００７】
それには次のような原因が考えられる。先ず、被印刷体を降下させてスクリーンマスクから離すとき、一定の速度で降下させると、図５に示す如く印刷部分の外側から内側に向かって徐々に離れるが、Ａの範囲とＢの範囲、Ｃの範囲では離れる速度が異なり、Ｂの範囲はＡの範囲よりも離れる速度が早く、更にＣの範囲はＢの範囲よりも早くなる。
【０００８】
即ち、図４に示す如く、スクリーンマスクの本来の位置と被印刷体１００を降下させることによるその上面の位置との間隔Ｌが１．０ｍｍあくと、自然に被印刷体１００がスクリーンマスク１０１と離れるようになる。そして被印刷体１００が一定の速度において更に降下すると、降下につれて次第に離れる速度が早くなり、印刷部分の中心にあっては最高に早くなる。このため、スクリーンマスク側の瞬間的に引っ張る力が強くなる。また一方、被印刷体１００がスクリーンマスク１０１から離れるときの角度θも、図５におけるＡからＣの範囲に至るにつれて次第に大きくなる。これらのことから、被印刷体１００上の印刷部分は、その中心においてスクリーンマスク側に引き剥がされるものと推測される。
【発明の開示】
【発明が解決しようとする課題】
【０００９】
そこで、本発明者はこの点について鋭意研究した結果、被印刷体がスクリーンマスクと離れる速度を可能な限り一定とし、即ち、図５においてＡの範囲、Ｂの範囲、Ｃの範囲、中心部分Ｐの全てにわたって均一の速度で離れるようになし、且つまた離れるときの角度も可能な限り一定とすれば、上記問題点を解消することができることを知見し、本発明の完成をみるに至ったものである。
【課題を解決するための手段】
【００１０】
而して、本発明の要旨とするところは、スクリーンマスクに被印刷体を接触させた状態においてスキージの操作により印刷を行うスクリーン印刷法において、被印刷体を、所定の時間内において所定の距離分降下させると共に、降下と同時に前記の時間よりも短い時間内で前記距離よりも少ない距離分上昇させ、これを所要回数繰り返した後、所定の速度で降下させ、最終的にスクリーンマスクから分離させるようになしたことを特徴とする被印刷体のスクリーンマスクからの分離制御方法にある。
【発明の効果】
【００１１】
本発明によれば、被印刷体がスクリーンマスクと離れる速度を略一定とし、且つまた離れるときの角度も略一定とすることができるものである。したがって、被印刷体上の印刷部分の中心がスクリーンマスクに引き剥がされることなく残るものである。
【発明を実施するための最良の形態】
【００１２】
本発明を実施するための最良の形態は、被印刷体がスクリーンマスクと離れる速度を可能な限り一定とし且つまた離れるときの角度も可能な限り一定とすることにあり、これにより被印刷体上の印刷部分の中心がスクリーンマスクに引き剥がされることなく残るものである。
【実施例１】
【００１３】
以下、本発明の実施例１について説明する。
図１は本発明の実施例１に用いる装置の概略的説明図、図２は本発明の実施例１の工程説明図である。
【００１４】
図中、１はスクリーンマスク、２は被印刷体である。また、本印刷方法は、スクリーンマスク１に被印刷体２を接触させた状態においてスキージの操作により印刷を行うものである。
【００１５】
３は被印刷体２を保持する昇降テーブルである。４は被印刷体２の外側においてスクリーンマスク１の下面に当てがうマスク押さえである。
【００１６】
次に、図２を参照しつつ本発明の実施例１の工程について説明する。
図２（Ａ）は印刷を終了した状態である。図２（Ｂ）は被印刷体２を降下し始めた状態であり、図５中におけるＡの範囲を離す状態である。この場合にあっては、例えば５秒間の内に図２（Ａ）の位置を基準にして０．５ｍｍ降下させ、そして降下と同時に３秒間の内に図２（Ａ）の位置を基準にして０．３ｍｍまで上昇させるものである。
【００１７】
これに続いて、図２（Ｃ）に示す如く、図５中におけるＢの範囲を離す。この場合にあっては、例えば５秒間の内に図２（Ａ）の位置を基準にして０．８ｍｍ降下させ、そして降下と同時に図２（Ａ）の位置を基準にして０．６ｍｍまで上昇させるものである。
【００１８】
次に、これに続いて図２（Ｄ）に示す如く、図５中におけるＣの範囲を離す。この場合にあっては、例えば５秒間の内に図２（Ａ）の位置を基準にして０．９ｍｍ降下させ、そして降下と同時に図２（Ａ）の位置を基準にして０．７ｍｍまで上昇させるものである。
【００１９】
そして、その後これに続けて再び、例えば５秒間の内に１．０ｍｍ降下させる程度の速度で降下させると、印刷部分の中心（図５中におけるＰ）がスクリーンマスクに引き剥がされることなく、被印刷体上に残った状態で、図２（Ｅ）に示す如く被印刷体がスクリーンマスクから完全に離れるものである。尚、以上の工程おいて降下する時間と距離は、印刷パターンや印刷剤の粘度に応じて調整するものである。
【図面の簡単な説明】
【００２０】
【図１】本発明の実施例１に用いる装置の概略的説明図である。
【図２】本発明の実施例１の工程説明図である。
【図３】従来の印刷法の説明図である。
【図４】従来の印刷法による問題点の説明図である。
【図５】被印刷体の印刷部分のスクリーンマスクから離れる状態の説明図である。
【符号の説明】
【００２１】
１  スクリーンマスク
２  被印刷体
３  昇降テーブル
【図１】
2005035168.tif 000003
【図２】
2005035168.tif 000004
【図３】
2005035168.tif 000005
【図４】
2005035168.tif 000006
【図５】
2005035168.tif 000007